(57)【要約】  燃焼処理が１工程であって、タール、結晶物、残留農薬及び発がん性物質を含まず、また多孔質性で水溶化しやすい食品、医薬品、化粧品、飼料に利用される非晶質ケイ素、及びその製造方法と装置を得る。  もみ殻等を５００℃以上、７００℃以下の温度範囲にて、撹拌しながら、前記もみ殻等の重量の６.７倍以上、２０倍以下の質量の大気、または前記もみ殻等の重量に対して１.４倍以上、４倍以下の酸素ガス、または大気と酸素の混合ガス（混合比は前述の範囲内）を炉内に導入し、燃焼させると同時に、もみ殻等の熱分解時に生じる乾留ガスを一部炉内から排出させて、もみ殻等の燃焼物を得る手段で行われる、タール、結晶物、残留農薬及び発がん性物質を含まない、多孔質で水溶化し易い非晶質ケイ素を製造することを特徴とする非晶質ケイ素の製造方法とする。
2015186769.tif 000002
【特許請求の範囲】
【請求項１】
もみ殻等を５００℃以上、７００℃以下の温度範囲にて、撹拌しながら、前記もみ殻等の重量の６.７倍以上、２０倍以下の質量の大気、または前記もみ殻等の重量に対して１.４倍以上、４倍以下の酸素ガス、または前記大気と前記酸素の混合ガスを炉内に導入し、燃焼させると同時に、もみ殻等の燃焼時に生じる燃焼ガスを炉内から排出させて、もみ殻等の燃焼物を得る手段で行われる、タール、結晶物、残留農薬及び発がん性物質を含まない、多孔質で水溶化し易い非晶質ケイ素を製造することを特徴とする非晶質ケイ素の製造方法。
【請求項２】
もみ殻等を５５０℃以上、６５０℃以下の温度範囲にて、撹拌しながら、前記もみ殻等の重量の６.７倍以上、２０倍以下の質量の大気、または前記もみ殻等の重量に対して１.４倍以上、４倍以下の酸素ガス、または前記大気と前記酸素の混合ガスを炉内に導入し、燃焼させると同時に、もみ殻等の燃焼時に生じる燃焼ガスを炉内から排出させて、もみ殻等の燃焼物を得る手段で行われる、タール、結晶物、残留農薬及び発がん性物質を含まない、多孔質で水溶化し易い非晶質ケイ素を製造することを特徴とする非晶質ケイ素の製造方法。
【請求項３】
もみ殻等を燃焼させて、もみ殻等の燃焼物を得る燃焼装置であって、前記燃焼装置は、外熱式の加熱部にロータリーキルン又はスクリューによる回転式加熱炉が備えられ、前記ロータリーキルンの回転軸部が、中空部を有し前記中空部に、大気が導入され、前記もみ殻等の燃焼時に発生する乾留ガスを炉外に排出する排気機構を有することを特徴とする燃焼装置。
【請求項４】
請求項１ないし３のいずれか１項の非晶質ケイ素の製造方法によって製造されたもみ殻等から製造した非晶質ケイ素で、発がん性物質や結晶物を含まず、多孔質で水溶化し易い非晶質ケイ素。
【請求項５】
請求項１ないし３のいずれか１項の非晶質ケイ素の製造方法によって製造された非晶質ケイ素を含有することを特徴とする食品。
【請求項６】
請求項１ないし３のいずれか１項の非晶質ケイ素の製造方法によって製造された非晶質ケイ素を含有することを特徴とする医薬品。
【請求項７】
請求項１ないし３のいずれか１項の非晶質ケイ素の製造方法によって製造された非晶質ケイ素を含有することを特徴とする化粧品である。
【請求項８】
請求項１ないし３のいずれか１項の非晶質ケイ素の製造方法によって製造された非晶質ケイ素を含有することを特徴とする飼料。
【発明の詳細な説明】
【技術分野】
【０００１】
本発明は、タール、結晶物及び発がん性物質を含まず、また多孔質性で水溶化しやすい食品、医薬品、化粧品及び飼料に使用される非晶質ケイ素、及びその製造方法、製造装置に関する。
【背景技術】
【０００２】
ケイ素は稲作やいくつかの農作物の生育に有用な物質であり、ケイ素肥料として活用されてきた。近年になって、ケイ素は農作物だけでなく人体にとっても必須の微量ミネラルであることが指摘されており、食品や医薬品、化粧品としての価値が高まっている。【０００３】
ケイ素（Ｓｉ）は、クラーク数では２５．８％と、地球上で酸素に次いで２番目に多い物質であり、固体の多くが二酸化ケイ素（ＳｉＯ２）として存在しているが、そのほとんどは「結晶質」である。一方、人間や動植物に吸収されるケイ素は「非晶質」ケイ素であり、これは珪藻土や植物等に含まれている。また、結晶質ケイ素には人体に対する発がん性も指摘されているため、結晶質ケイ素を含まない非晶質ケイ素は、一般に希少で高価なものとなっている。【０００４】
もみ殻や稲藁には、非晶質ケイ素が多量に含まれており、これを燃焼させて非晶質ケイ素を得る方法がいくつも考案されている。従来のもみ殻からの非晶質ケイ素の製造方法では、もみ殻の燃焼物を得る場合、もみ殻を流動床焼成炉で第１次焼成し、ついで外熱式回転炉にて第２次焼成してもみ殻の燃焼物を作成する方法が一般に行われていた。
【先行技術文献】
【特許文献】
【０００５】
【特許文献１】特開２０１１−１４２８２６号公報
【特許文献２】特開２００６−１１２６８７号公報
【特許文献３】特開平７−１９６３１２
【発明の開示】
【発明が解決しようとする課題】
【０００６】
特許文献１では、炉の温度を一定にすることが難しく、連続的に安価に安定的に、１００％に近い比率では非晶質のケイ素を含む非晶質シリカを製造することができないという問題点があった。また、焼成時に発生する乾留ガスやタールの問題から製品中にもタール分が混入する可能性があり、食品や医薬品、飼料等への利用は困難であった。【０００７】
特許文献２では、段落００３７にて、「焼成課程で発生する局所過熱がないので、焼成化に起因するクリンカー粒（結晶）は含んでいない。」とし、その結果段落００３８（表１）非晶質シリカ多孔質体を、試験によって異なるが、最大で４０％まで得られたとし、１００％に近い割合の非晶質シリカは、得られていないという問題点があった。非晶質ケイ素は非晶質シリカの更に半分程度である。【０００８】
特許文献３の非晶質ケイ素を服務非晶質シリカの製造方法では、第１次焼成と、第２次焼成の２回の焼成工程が必要であって、焼成工程が煩雑という問題点があった。また、非晶質ケイ素を含む非晶質シリカの用途については、コンクリートの補強材のみの開示であって、発がん性物質を含まないことが必須である食品や医薬品、飼料、及び水溶性の非晶質ケイ素を用いることが必須である食品や医薬品、飼料については開示されていない。【０００９】
本発明の課題は、燃焼処理が１工程であって、稲を構成するもみ殻、稲藁、米糠や、麦、トウモロコシ、牧草等のイネ科植物、及びスギナ、茶、じゃがいも等ケイ素を豊富に含む植物（以後、これらを総称して「もみ殻等」と称する）からタール、結晶物、残留農薬及び発がん性物質を含まず、また多孔質性で水溶化しやすい食品、医薬品、化粧品及び飼料に使用される非晶質ケイ素、及びその製造方法と装置を得ることである。
【課題を解決するための手段】
【００１０】
請求項１に係る発明は、もみ殻等を５００℃以上、７００℃以下の温度範囲にて、撹拌しながら、前記もみ殻等の重量の６.７倍以上、２０倍以下の質量の大気、または前記もみ殻等の重量に対して１.４倍以上、４倍以下の酸素ガス、または前記大気と前記酸素の混合ガスを炉内に導入し、燃焼させると同時に、もみ殻等の燃焼時に生じる燃焼ガスを炉内から排出させて、もみ殻等の燃焼物を得る手段で行われる、タール、結晶物、残留農薬及び発がん性物質を含まない、多孔質で水溶化し易い非晶質ケイ素を製造することを特徴とする非晶質ケイ素の製造方法である。
【００１１】
もみ殻等を燃焼する温度が、５００℃未満であると、発がん性物質であるベンツピレンが生成する問題点があり、もみ殻等を燃焼する温度が、７００℃を超えると、もみ殻中の非晶質シリカが結晶化して、人体に対して発がん性を有するという問題点があった。また、炉内に導入する大気が、もみ殻等の重量に対して６.７倍未満であるともみ殻の燃焼が、不完全となり、炉内に導入する大気が、もみ殻等の重量に対して２０倍を超えると、炉内温度が低下し、温度維持が困難になるという問題点があった。また、炉内に導入する酸素が、もみ殻等の重量に対して１.４倍未満であるともみ殻の燃焼が、不完全となり、炉内に導入する酸素が、もみ殻等の重量に対して４倍を超えると、もみ殻等の燃焼が急激に行われて燃焼物として品質が低下するという問題点があった。【００１２】
請求項２に係る発明は、もみ殻等を５５０℃以上、６５０℃以下の温度範囲にて、撹拌しながら、前記もみ殻等の重量の６.７倍以上、２０倍以下の質量の大気、または前記もみ殻等の重量に対して１.４倍以上、４倍以下の酸素ガス、または前記大気と前記酸素の混合ガスを炉内に導入し、燃焼させると同時に、もみ殻等の燃焼時に生じる燃焼ガスを炉内から排出させて、もみ殻等の燃焼物を得る手段で行われる、タール、結晶物、農薬成分及び発がん性物質を含まない、多孔質で水溶化し易い非晶質ケイ素を製造することを特徴とする非晶質ケイ素の製造方法である。
【００１３】
もみ殻等を燃焼する温度が５５０℃未満であると、燃焼に時間がかかり過ぎるという問題点があり、もみ殻等を燃焼する温度が、６５０℃を超えると、もみ殻等中の非晶質ケイ素が構造化し始め、水溶化し難くなるという問題点があった。また、炉内に導入する大気が、もみ殻等の重量に対して６.７倍未満であるともみ殻等の燃焼が、不完全となり、炉内に導入する大気が、もみ殻等の重量に対して２０倍を超えると、炉内温度が低下し、温度維持が困難になるという問題点があった。また、炉内に導入する酸素が、もみ殻等の重量に対して１.４倍未満であるともみ殻等の燃焼が、不完全となり、炉内に導入する酸素が、もみ殻等の重量に対して４倍を超えると、もみ殻等の燃焼が急激に行われて燃焼物として品質が低下するという問題点があった。【００１４】
請求項３に係る発明は、もみ殻等を燃焼させて、もみ殻等の燃焼物を得る燃焼装置であって、前記燃焼装置は、外熱式の加熱部にロータリーキルン又はスクリューによる回転式加熱炉が備えられ、前記スクリューの回転軸部が、中空部を有し前記中空部に、大気が導入され、前記もみ殻等の燃焼時に発生する乾留ガスを炉外に排出する排気機構を有することを特徴とする燃焼装置である。
【００１５】
請求項４に係る発明は、請求項１ないし３のいずれか１項の製造方法によって製造された非晶質ケイ素であって、タール、結晶物及び発がん性物質を含まず、多孔質で水溶化し易い非晶質ケイ素である。【００１６】
請求項５に係る発明は、請求項１ないし３のいずれか１項の非晶質ケイ素の製造方法によって製造された非晶質ケイ素を含有することを特徴とする食品である。【００１７】
請求項６に係る発明は、請求項１ないし３のいずれか１項の非晶質ケイ素の製造方法によって製造された非晶質ケイ素を含有することを特徴とする医薬品である。【００１８】
請求項７に係る発明は、請求項１ないし３のいずれか１項の非晶質ケイ素の製造方法によって製造された非晶質ケイ素を含有することを特徴とする化粧品である。【００１９】
請求項８に係る発明は、請求項１ないし３のいずれか１項の非晶質ケイ素の製造方法によって製造された非晶質ケイ素を含有することを特徴とする飼料である。
【発明の効果】
【００２０】
請求項１による非晶質ケイ素の製造方法によれば、温度範囲（５００℃〜７００℃）を設定し、タール、結晶物、残留農薬及び発がん性物質を含まない、多孔質で水溶化し易い非晶質ケイ素を製造することができる。【００２１】
請求項２による非晶質ケイ素の製造方法によれば、最適な温度範囲（５５０℃〜６５０℃）を設定し、タール、結晶物及び発がん性物質を含まない、多孔質で水溶化し易い非晶質ケイ素を製造することができる。【００２２】
請求項３による非晶質ケイ素の製造方法によれば、燃焼時に素材から発生するタールを含む乾留ガスを適切に炉外に排出しながら、上記の最適な温度範囲で、安定的に非晶質ケイ素を製造することができる。【００２３】
請求項４による非晶質ケイ素は、タール、結晶物及び発がん性物質を含まない、多孔質で水溶化し易い非晶質ケイ素であり、食品等に利用することができ、且つ人体等の生体によく吸収される非晶質ケイ素である。【００２４】
請求項５による食品によれば、人体の骨の強化、美肌、血管の栄養成分の補強、抗酸化力の強化等の効果がある食品を提供できる。【００２５】
請求項６による医薬品によれば、人体の骨の強化、美肌、血管の栄養成分の補強、抗酸化力の強化等の効果がある医薬品を提供できる。【００２６】
請求項７による化粧品によれば、美肌、血管の栄養成分の補強等の効果がある化粧品を提供できる。【００２７】
請求項８による飼料によれば、家畜及び愛がん動物の健康や病気予防や、鶏の発育促進に効果がある飼料を提供できる。【００２８】
本発明によれば、燃焼処理が１工程であって、稲を構成するもみ殻、稲藁、米糠や、麦、トウモロコシ、牧草等のイネ科植物、及びスギナ、茶、じゃがいも等ケイ素を豊富に含む植物からタール、結晶物、残留農薬及び発がん性物質を含まず、また多孔質性で水溶化しやすい食品、医薬品、化粧品及び飼料に利用される非晶質ケイ素、及びその製造方法と装置を得ることができる。
【図面の簡単な説明】
【００２９】
【図１】もみ殻燃焼物のＸ線解析スペクトルの図。
【図２】もみ殻燃焼物の４０℃精製水への溶解試験結果
【図３】本実施例の燃焼装置の図。
【図４】本実施例の燃焼装置の他の例の図。
【符号の説明】
【００３０】
１  間接加熱装置
２  キルン
２ａ  乾燥部
２ｂ  燃焼部
２ｃ  内部空間
２in  入口
２out  出口
３  燃焼室
３ａ  排気管
４  加熱源
５  配管部
６  冷却部
７  脱臭部
８  乾留ガス回収部
９  補助加熱源
１０  蒸気煙経路
１１  油化部
１２  配水管
１３  ファン
１４  ホッパ
１５  原料供給配管
１６  供給スクリュー
１７  第２排出配管
１８  冷却装置
１９  接続管（下流側排ガス管）
１９ａ  下流側排ガス管上管  
１９ｂ  下流側排ガス管下管  
２０  搬送スクリュー
２１  搬送スクリュー
２２  蒸気抜きパイプ（上流側排ガス管）
２２ａ  上流側排ガス管上管  
２２ｂ  上流側排ガス管下管  
２３  煙突部
２４  循環管
２５  ガス抜きパイプ
２６  大気・酸素供給菅
３０  接続部
６０  回収部
３１  螺旋羽
４１  撹拌羽
５１  スクリュー軸
６１  エア供給開口部
７１  大気供給菅
８１  酸素供給菅
９１  消煙装置
Ｐ  投入素材
Ｑ  非晶質ケイ素を含む素材
１００、１０１  もみ殻炭
２００  カプセルのフタ
３００  カプセルの容器
４００  カプセル
５００  カプセル型食品
５０１  ペレット型食品
６００  バインダー
【発明を実施するための形態】
【００３１】
本発明の実施の形態による非晶質ケイ素の製造方法は、もみ殻等を５００℃以上、７００℃以下の温度範囲にて、撹拌しながら、前記もみ殻等の重量の６.７倍以上、２０倍以下の質量の大気、または前記もみ殻等の重量に対して１.４倍以上、４倍以下の酸素ガス、または前記大気と前記酸素の混合ガスを炉内に導入し、 燃焼させると同時に、もみ殻等の燃焼時に生じる燃焼ガスを炉内から排出させて、もみ殻等の燃焼物を得る手段で行われる、タール、結晶物、残留農薬及び発がん性物質を含まない、多孔質で水溶化し易い非晶質ケイ素を製造することを特徴とする非晶質ケイ素の製造方法である。
【００３２】
本発明の実施の形態による非晶質ケイ素の製造方法は、もみ殻等を５５０℃以上、６５０℃以下の温度範囲にて、撹拌しながら、前記もみ殻等の重量の６.７倍以上、２０倍以下の質量の大気、または前記もみ殻等の重量に対して１.４倍以上、４倍以下の酸素ガス、または前記大気と前記酸素の混合ガスを炉内に導入し、 燃焼させると同時に、もみ殻等の燃焼時に生じる燃焼ガスを炉内から排出させて、もみ殻等の燃焼物を得る手段で行われる、タール、結晶物、残留農薬及び発がん性物質を含まない、多孔質で水溶化し易い非晶質ケイ素を製造することを特徴とする非晶質ケイ素の製造方法である。
【００３３】
ここで、前記もみ殻等の燃焼物である非晶質ケイ素は、生体内温度の４０℃以下の範囲の温度でも容易に水溶化する。
【００３４】
本発明の実施の形態による燃焼装置は、もみ殻等を燃焼させて、もみ殻等の燃焼物を得る燃焼装置であって、前記燃焼装置は、外熱式の加熱部にロータリーキルン又はスクリューによる回転式加熱炉が備えられ、前記スクリューの回転軸部が、中空部を有し前記中空部に、大気または酸素、またはそれらの混合が導入され、前記もみ殻等の燃焼時に発生する排気ガスを炉外に排出する排気機構を有することを特徴とする燃焼装置である。
【実施例】
【００３５】
（実施例１）
図１は、もみ殻燃焼物のＸ線解析スペクトルの図である。
図１にて、上から、燃焼温度４５０℃の場合、燃焼温度５５０℃の場合、燃焼温度６５０℃の場合、燃焼温度７００℃の場合のＸ線解析スペクトルの図である。いずれの場合も、Ｘ線解析スペクトルの形は、結晶性を示すピークが無いブロードな形であり、もみ殻燃焼物が、非晶質であることが判る。【００３６】
（実施例２）
図２は、もみ殻燃焼物の４０℃精製水への溶解試験結果である。
図２に示す試験結果から、製造温度が低いほど水溶性に優れていることが判る。また、非晶質ケイ素の一種である「シリカゲル」の場合は、ほとんど溶解していないことが判る。図１、図２に示したＸ線解析結果と合わせて考えると、非晶質ケイ素であっても必ずしも全てが容易に水溶化する訳ではなく、製造温度や製法によって大きく性質が異なる。製造温度が低いともみ殻燃焼物の水溶性が高い反面、製造時間が長時間となり経済性に優れない。また、５００℃を下回ると発がん性物質であるベンツピレンが生成する可能性があるため、食用に適さない。製造温度が高いと製造は容易になるが、水溶性が低くなる。一般に８００℃を超えるともみ殻燃焼物が結晶化するとされ、結晶性ケイ素もまた発がん性が指摘されているため、同じく食用には適さない。
従って、発がん性物質を含まず、水溶性が高い非晶質ケイ素は、製造温度５００℃以上で出来る限り低い温度ということになる。これに製造効率を勘案すると、実用上の最適製造温度は５５０〜６５０℃の範囲となる。【００３７】
（実施例３）
燃焼温度６００℃のもみ殻燃焼物から得た、非晶質ケイ素について、各種の分析を実施したので、その一連の結果について記載する。なお、検査機関は、株式会社日本食品機能分析研究所である。
表１は、本発明の非晶質ケイ素を含むもみ殻燃焼物の細菌に関する試験結果である。
表１より、一般生菌数は３００以下／ｇ、および大腸菌群は、陰性であることが判る。
【表１】
2015186769.tif 000003
【００３８】
表２は、本発明の非晶質ケイ素の含有量についての分析である。１００g中のもみ殻燃焼物に４１０００ｍｇのケイ素が確認された。
【表２】
2015186769.tif 000004
【００３９】
表３は、本発明の非晶質ケイ素の放射性物質の有無に関する試験結果である。
表３より、放射性ヨウ素、および放射性セシウムは、検出されていない。
【表３】
2015186769.tif 000005
【００４０】
表４は、本発明の非晶質ケイ素を含むもみ殻燃焼物の有害金属の有無、発がん性物質の有無の試験結果である。
表４より、発がん性物資である、ベンツピレンが、検出せずの結果であることが判明し
た。
【表４】
2015186769.tif 000006
【００４１】
表５は、本発明の非晶質ケイ素を含むもみ殻燃焼物の残留農薬の検出の試験結果である。
残留農薬（２７６項目）は、すべて不検出であった。
表６，７，８，９に、具体的な残留農薬の項目のリストを示す。
【表５】
2015186769.tif 000007
【表６】
2015186769.tif 000008
【表７】
2015186769.tif 000009
【表８】
2015186769.tif 000010
【表９】
2015186769.tif 000011
【００４２】
本発明の非晶質ケイ素を含むもみ殻燃焼物を検体として、OECD
Guideline for the Testing of Chemicals 404(2002)に準拠し、ウサギを用いる皮膚一次刺激性試験を行った。
検体をウサギ３匹の無傷及び有傷皮膚に24時間閉鎖適用した。その結果，除去後1時間に全例で非常に軽度〜はっきりした紅斑加えて２例では非常に軽度な浮腫が見られたが、７２時間までに消失した。
ISO 10993-10 Biological
Evaluation of Medical
Devices-Part 10(2010)に従って求めた一次刺激性インデックス(P.I.I.)は０．４となった。
以上のことから、ウサギを用いる皮膚一次刺激性試験において、検体は「無刺激性」の範疇に入るものと評価された。【００４３】
本発明の非晶質ケイ素を含むもみ殻燃焼物を検体として，ラットを用いる急性経口毒性試験(限度試験)を行った。試験群には２，０００ ｍｇ／ｋｇの用量の検体を、対照群には溶媒対照として注射用水を雌雄ラットに単回経口投与し、１４日間観察を行った。その結果、観察期間中に異常及び死亡例は認められなかった。以上のことから、ラットを用いる単回経口投与において、検体のＬＤ５０値は、雌雄ともに２，０００ｍｇ／ｋｇを超えるものと評価された。【００４４】
（実施例４）
食品、医薬品への応用
本発明の非晶質ケイ素は、人体の骨密度の改善に効果がある。被験者４０歳台から８０歳台に、毎日、本発明の非晶質ケイ素を与えた結果、骨密度が、上昇する傾向がえられた。骨密度の改善のためのサプリメントとしての応用も可能性がある。
表１０は、本発明の非晶質ケイ素を含む粉末（ケイ素含有量40%以上）を45歳〜82歳の男女10名に1日平均約100ｍｇ摂取してもらい、摂取前後の骨密度を測定した結果である。
ここで、表１０は被験者のかかとの骨の超音波骨密度測定結果である。
表１０によると、摂取前後の比較で、被験者、45歳〜82歳の男女10名全員の骨密度が上昇している事がわかる。
【表１０】
2015186769.tif 000012
更にケイ素は腸壁から吸収され、血管を通る際、欠陥内部の付着物を可溶化する作用があり、動脈硬化の予防にも効果がある。【００４５】
（実施例５）
化粧品への応用
ケイ素は人体にも含まれ、毛髪、爪、血管、骨、関節や細胞壁などに存在しており、生体内のケイ素はコラーゲンを束ねる作用を持ち、骨、毛髪、爪、コラーゲンの再生や補強、維持に役立つ他、肌の保湿などにも影響を及ぼす。【００４６】
（実施例６）
飼料への応用
本実施例は、本発明の非晶質ケイ素を飼料に混ぜて用いる例である。非晶質ケイ素を直接、家畜の飼料に混ぜる方法である。これによって、家畜及び愛がん動物の健康を増進し、また肉質の改善も行われる。【００４７】
（実施例７）
図３は、本実施例の燃焼装置の図である。
本発明で使用される燃焼装置は、内部に螺旋羽と攪拌羽１を配置した回転する一つのキルン２と、この一つのキルン２の内部に投入されたもみ殻等を大気または酸素または前記大気と前記酸素の混合ガスを供給する大気・酸素供給管２６と、間接加熱しつつ、もみ殻等を燃焼して一つのキルン２の内部全体に熱を供給する燃焼室３と、燃焼室３内に臨むバーナー等の加熱源４と、キルン２の内部に投入されたもみ殻等に含まれる水分を燃焼室３の間接加熱によって蒸発させるようにキルン２の内部にエリア設定された乾燥部２ａと、乾燥部２ａで乾燥処理されたもみ殻等を燃焼させるようにキルン２の内部にエリア設定された燃焼部２ｂと、を備えている。【００４８】
（実施例８）
図４は、本実施例の燃焼装置の他の例の図である。
本発明で使用される燃焼装置は、大気を供給する配管７１と酸素を供給する配管８１と、任意の温度設定が出来る電気炉等の間接加熱装置１とキルン２と、前記大気または前記酸素またはそれらの混合ガスをキルン内に供給する回転するスクリュー軸の開口部６１と螺旋羽３１と攪拌羽４１と、を備えている。
【産業上の利用可能性】
【００４９】
本発明によれば、燃焼処理が１工程であって、稲を構成するもみ殻、稲藁、米糠や、麦、トウモロコシ、牧草等のイネ科植物、及びスギナ、茶、じゃがいも等を豊富に含む植物ケイ素からタール、結晶物、残留農薬及び発がん性物質を含まず、また多孔質性で水溶化しやすい食品、医薬品、化粧品、飼料に利用される非晶質ケイ素、及びその製造方法と装置を提供することができ、人体の健康増進、及び畜産業の発展に寄与する。
【図１】
2015186769.tif 000013
【図２】
2015186769.tif 000014
【図３】
2015186769.tif 000015
【図４】
2015186769.tif 000016
【国際調査報告】
2015186769.tif 000017
2015186769.tif 000018
2015186769.tif 000019
2015186769.tif 000020
2015186769.tif 000021
2015186769.tif 000022